(57)【要約】【課題】  補聴器装用時における外耳道内の湿気を外部に排出することができる外耳道内の湿気排出構造を備えた補聴器を提供する。【解決手段】  耳あな形補聴器１のシェル２に外耳道３内から外部に通じるベント４を形成し、このベント４に透湿性を有する撚糸５を通し、この撚糸５を介して外耳道３内の湿気を外部に排出するようにした。【選択図】        図１
2005303929.tif 000002
【特許請求の範囲】
【請求項１】
補聴器のシェルに、糸、撚糸や樹脂などの透湿性物質を設け、この透湿性物質を介して外耳道内の湿気を外部に排出することを特徴とする外耳道内の湿気排出構造を備えた補聴器。
【請求項２】
前記シェルに外耳道内から外部に通じるベントを形成し、このベントに前記透湿性物質を通した請求項１記載の外耳道内の湿気排出構造を備えた補聴器。
【請求項３】
前記シェルの外周面に外耳道内から外部に至る溝を形成し、この溝に前記透湿性物質を固定した請求項１記載の外耳道内の湿気排出構造を備えた補聴器。
【請求項４】
補聴器のシェルに透湿性物質を練り込み、この透湿性物質を介して外耳道内の湿気を外部に排出することを特徴とする外耳道内の湿気排出構造を備えた補聴器。
【請求項５】
補聴器のシェルを吸湿性のある材料で形成したことを特徴とする外耳道内の湿気排出構造を備えた補聴器。
【発明の詳細な説明】
【技術分野】
【０００１】
本発明は、補聴器装用時における外耳道内の湿気を外部に排出することができる外耳道内の湿気排出構造を備えた補聴器に関する。
【背景技術】
【０００２】
耳あな形補聴器においては、低域の調整、こもり感の低減や外耳道内の湿気を外部に排出するために、ベント（音漏れを一定に保つ通気孔）を設けることが知られている（例えば、特許文献１参照）。
【０００３】
【特許文献１】特表平８−５１１４１２号公報
【発明の開示】
【発明が解決しようとする課題】
【０００４】
しかし、特許文献１に記載のようなベントでは、高出力の補聴器や高域に高い利得を有する補聴器などの場合に、音が漏れてハウリングを誘発してしまう。
また、ハウリングを起こさせないためにベントを設けないと、外耳道内の湿度が上昇し、音口を塞いでしまうだけではなく、イヤホンの故障原因となる。
また、ハウリングを誘起しない程度の小径のベントを設けることもできるが、小径のため詰まり易く効果が十分でなかった。
【０００５】
本発明は、従来の技術が有するこのような問題点に鑑みてなされたものであり、その目的とするところは、補聴器装用時における外耳道内の湿気を外部に排出することができる外耳道内の湿気排出構造を備えた補聴器を提供しようとするものである。
【課題を解決するための手段】
【０００６】
上記課題を解決すべく請求項１に係る発明は、補聴器のシェルに、糸、撚糸や樹脂などの透湿性物質を設け、この透湿性物質を介して外耳道内の湿気を外部に排出するものである。
【０００７】
請求項２に係る発明は、請求項１記載の外耳道内の湿気排出構造を備えた補聴器において、前記シェルに外耳道内から外部に通じるベントを形成し、このベントに前記透湿性物質を通した。
【０００８】
請求項３に係る発明は、請求項１記載の外耳道内の湿気排出構造を備えた補聴器において、前記シェルの外周面に外耳道内から外部に至る溝を形成し、この溝に前記透湿性物質を固定した。
【０００９】
請求項４に係る発明は、補聴器のシェルに透湿性物質を練り込み、この透湿性物質を介して外耳道内の湿気を外部に排出するものである。
【００１０】
請求項５に係る発明は、補聴器のシェルを吸湿性のある材料で形成したものである。
【発明の効果】
【００１１】
以上説明したように請求項１に係る発明によれば、糸、撚糸や樹脂などの透湿性物質を介して外耳道内の湿気を速やかに外部に排出することができる。
【００１２】
請求項２に係る発明によれば、低域の調整、こもり感の低減と同時に、外耳道内の湿気を速やかに外部に排出することができる。
【００１３】
請求項３に係る発明によれば、シェルにベントを設けるスペースがない場合でも、低域の調整、こもり感の低減と同時に、外耳道内の湿気を速やかに外部に排出することができる。
【００１４】
請求項４に係る発明によれば、ベントの有無やベント径の大きさに関係なく、外耳道内の湿気を速やかに外部に排出することができる。
【００１５】
請求項５に係る発明によれば、装着感の向上と共に、外耳道内の湿度を速やかに低下させることができる。
【発明を実施するための最良の形態】
【００１６】
以下に本発明の実施の形態を添付図面に基づいて説明する。ここで、図１は本発明に係る外耳道内の湿気排出構造を備えた補聴器の第１実施例の要部断面図、図２は図１のＡ−Ａ線断面拡大図、図３は本発明に係る外耳道内の湿気排出構造を備えた補聴器の第２実施例の要部断面図、図４は図３のＢ−Ｂ線断面拡大図である。
【００１７】
本発明に係る外耳道内の湿気排出構造を備えた補聴器の第１実施例は、図１及び図２に示すように、耳あな形補聴器１を構成するシェル２に外耳道３内から外部に通じるベント４を形成し、ベント４に透湿性のある撚糸５を通している。撚糸５の代わりに透湿性のある糸又は樹脂を用いることもできる。
【００１８】
撚糸５の径は、図２に示すように、ベント４の径に比較して小さくしているが、ベント４の径と同程度とし、撚糸５がベント４を閉塞しても構わない。また、ベント４の径に比較して小さい径を持つ撚糸５を複数本ベント４に通しても構わない。
【００１９】
また、ベント４の外部側端部に、固定プラグ６が嵌合し、撚糸５を固定している。撚糸５は、ベント４の外部側端部と外耳道側端部から僅かながら突出している。更に、外耳道３内と外部との通気孔を確保したい場合には、固定プラグ６の代わりに、貫通孔を有する有口プラグを用いることもできる。なお、７はマイクロホン、８は補聴処理部、９はイヤホン、１０はスイッチ類である。
【００２０】
以上のように構成された本発明に係る外耳道内の湿気排出構造を備えた補聴器の第１実施例の作用について説明する。
装用者が耳あな形補聴器１を外耳道３に挿入して装用中に、外耳道３の壁面から生ずる汗や液状の分泌物などにより外耳道３内の湿度が上昇する。
【００２１】
すると、ベント４の外耳道側端部から突出している透湿性のある撚糸５が、外耳道３内の湿気を吸収する。更に、吸収された湿気は、撚糸５を伝わってベント４の外部側端部から突出している撚糸５から外部に排出される。このような動作が繰り返されて、補聴器装用中における外耳道３内の湿度は低下していく。
【００２２】
また、固定プラグ６の代わりに、貫通孔を有する有口プラグを用いれば、外耳道内の湿気を速やかに外部に排出する同時に、低域の調整やこもり感の低減を図ることができる。
【００２３】
次に、本発明に係る外耳道内の湿気排出構造を備えた補聴器の第２実施例は、図３及び図４に示すように、耳あな形補聴器１を構成するシェル２の外周面に外耳道３内から外部に通じる略凹形状の溝１１を形成し、溝１１の底部に透湿性のある撚糸５を接着剤で固定している。撚糸５の代わりに透湿性のある糸又は樹脂を用いることもできる。
【００２４】
撚糸５は、溝１１の外部側端部と外耳道側端部から僅かながら突出している。なお、シェル２にベント４を形成する代わりに、シェル２の外周面に溝１１を形成したこと以外は、図１に示す第１実施例と同様な構成である。
【００２５】
以上のように構成された本発明に係る外耳道内の湿気排出構造を備えた補聴器の第２実施例の作用について説明する。
装用者が耳あな形補聴器１を外耳道３に挿入して装用中に、外耳道３の壁面から生ずる汗や液状の分泌物などにより外耳道３内の湿度が上昇する。
【００２６】
すると、溝１１の外耳道側端部から突出している透湿性のある撚糸５が、外耳道３内の湿気を吸収する。更に、吸収された湿気は、撚糸５を伝わって溝１１の外部側端部から突出している撚糸５から外部に排出される。このような動作が繰り返されて、補聴器装用中における外耳道３内の湿度は低下していく。
【００２７】
また、溝１１が外耳道３内から外部に通じているので、外耳道内の湿気を速やかに外部に排出する同時に、低域の調整やこもり感の低減を図ることができる。
【００２８】
また、シェル２を製造する時に、他の樹脂に透湿性物質を練り込んで、シェル２を形成すれば、ベントの有無やベント径の大きさに関係なく、透湿性物質を介して外耳道内の湿気を速やかに外部に排出することができる。
【００２９】
更に、シェル２を吸湿性のある材料で形成すれば、吸湿性材料に外耳道内の湿気が吸収され、ベントの有無やベント径の大きさに関係なく、外耳道内の湿度を速やかに低下させることができる。この場合、耳あな形補聴器１を装用していない時には、耳あな形補聴器１のシェル２が吸収した湿気を除くため、耳あな形補聴器１を乾燥した環境で保管する必要がある。
【産業上の利用可能性】
【００３０】
本発明によれば、補聴器装用中における外耳道内の湿気を速やかに外部に排出することができるので、湿気による故障が低減し、装着感も向上して補聴器の使い勝手がよくなり、補聴器に対する需要が増大する。
【図面の簡単な説明】
【００３１】
【図１】本発明に係る外耳道内の湿気排出構造を備えた補聴器の第１実施例の要部断面図
【図２】図１のＡ−Ａ線断面拡大図
【図３】本発明に係る外耳道内の湿気排出構造を備えた補聴器の第２実施例の要部断面図
【図４】図３のＢ−Ｂ線断面拡大図
【符号の説明】
【００３２】
１…耳あな形補聴器、２…シェル、３…外耳道、４…ベント、５…撚糸、６…固定プラグ、１１…溝。
【図１】
2005303929.tif 000003
【図２】
2005303929.tif 000004
【図３】
2005303929.tif 000005
【図４】
2005303929.tif 000006